(57)【特許請求の範囲】
【請求項１】
電力機器の性能試験を行う試験回路と前記試験回路に供給される試験電源を生成する電源との間に介在される試験用コンセントアダプタであって、
前記試験電源を出力する試験電源用コンセントに装着されるプラグ部と、
ケース側部から側方へ突出させた状態で横並びに設けられ、前記試験回路へ給電するための電源線に接続される接続部とを備え、
前記接続部は、
前記電源線が備える極性毎の導体と個別に接続される、ケースの天板寄りに設けられた複数の接続端子と、
各接続端子の左右と下の３方を囲むように設けられた電気絶縁性の仕切り部とを有することを特徴とする試験用コンセントアダプタ。
【請求項２】
前記仕切り部は、上端縁が前記接続端子の上端よりも上方に位置していることを特徴とする請求項１に記載の試験用コンセントアダプタ。
【請求項３】
前記接続端子は、
内側空部にプラグが挿入可能であって外周面に雄ねじが形成された第１端子部、及び、前記雄ねじに噛み合う雌ねじが内周面に形成された第２端子部を有するターミナル端子であることを特徴とする請求項１又は２に記載の試験用コンセントアダプタ。
【請求項４】
前記プラグ部と前記接続部との間にスイッチを介在させたことを特徴とする請求項１から３の何れか１項に記載の試験用コンセントアダプタ。
【請求項５】
前記プラグ部は、
ケースから引き出されたコードと、
前記コードの先端に設けられたプラグとを有することを特徴とする請求項１から４の何れか１項に記載の試験用コンセントアダプタ。
【発明の詳細な説明】
【技術分野】
【０００１】
本発明は、電力機器に対する性能試験を行う試験回路とこの試験回路に試験電源を供給する電源との間に介在される試験用コンセントアダプタに関する。
【背景技術】
【０００２】
発電所や変電所には大型の電力機器が備えられている。この電力機器は、定期的にまた必要に応じて性能試験が行われる。例えば、電力機器の一種であるＧＰＴ（接地形計器用変圧器）では、内部インピーダンスの測定が行われている。内部インピーダンスの測定では、歪みやノイズが少なく規定電流量（６０ｍＡ，４０ｍＡ）に精度良く定められた試験用の交流電源（以下試験電源という）を、試験回路に対して供給する必要がある。このため、１００Ｖや２００Ｖの商用電源から試験電源を発生する電源装置（交流発生装置）が用いられている。
【０００３】
電源装置には試験電源を供給するためのコンセントが設けられているので、試験電源を試験回路に供給する場合、例えば電源線の一端を試験回路の端子台に接続する一方で、電源線の他端にプラグを取り付けている。そして、プラグを電源装置のコンセントに接続している。なお、電源線の一端については、試験回路が有する配線用遮断器（ＮＦＢ）に接続することもある。また、配線用遮断器を、試験回路と電源装置との間に別途配設することもある。
【０００４】
このような電源線の配線は手間が掛かる作業であり、試験作業における大きな負担となっている。そして、地絡、短絡、感電が生じないように細心の注意を払う必要があるので、作業負担の軽減が強く求められている。
【０００５】
また、商用電源を試験電源として用いる場合もある。ここで、試験対象の電力機器は大型の据え置き型であり、試験回路は電力機器のすぐ近くに配置されることから、試験対象の電力機器から遠い場所のコンセント等から商用電源（試験電源）の供給を受ける場合には、電源線を長い距離に亘って敷設しなければならず、作業負担が大きくなっている。
【０００６】
ここで、下記の特許文献１には、プラグ電極の形状が国毎に異なっている事情に鑑み、プラグ部分を交換可能に構成した電気機器が開示されている。
【先行技術文献】
【特許文献】
【０００７】
【特許文献１】特開２０１０−２１１９６９号公報
【発明の概要】
【発明が解決しようとする課題】
【０００８】
前述したように、電力機器の性能試験では、電力供給用の電線に対する配線作業、特にプラグの取付作業が作業負担を大きくする一因となっている。プラグ取付作業の負担を軽減するために、特許文献１に記載された技術を利用して交換式のプラグを用いることも考えられるが、電力機器の性能試験では、電力機器毎に配線を行うことから、交換式のプラグを用いることによる利点は少ない。
【０００９】
また、電力供給用の電線に対する配線作業において短絡や地絡が生じてしまうと、試験回路等の故障の原因となる。このため、短絡等については極力避ける必要がある。
【００１０】
本発明はこのような事情に鑑みてなされたものであり、その目的は電力機器の性能試験における配線作業の負担を軽減するとともに短絡等を防止することにある。
【課題を解決するための手段】
【００１１】
前記課題を解決するため、本発明は、電力機器の性能試験を行う試験回路と前記試験回路に供給される試験電源を生成する電源との間に介在される試験用コンセントアダプタであって、前記試験電源を出力する試験電源用コンセントに装着されるプラグ部と、ケース側部から側方へ突出させた状態で横並びに設けられ、前記試験回路へ給電するための電源線に接続される接続部とを備え、前記接続部は、前記電源線が備える極性毎の導体と個別に接続される、ケースの天板寄りに設けられた複数の接続端子と、各接続端子の左右と下の３方を囲むように設けられた電気絶縁性の仕切り部とを有することを特徴とする。
【００１２】
本発明の試験用コンセントアダプタによれば、接続端子が複数設けられているので、電源線の接続作業が容易になり、配線作業に掛かる負担を軽減できる。そして、隣り合う接続端子同士が電気絶縁性を有する仕切り部によって仕切られているので、配線作業時に用いられる導電性部材（例えば針金やドライバ）等によって接続端子同士が短絡される不具合を防止できる。
【００１３】
前述の試験用コンセントアダプタにおいて、仕切部の上端縁を前記接続端子の上端よりも上方に位置させた場合には、針金やドライバ等の導電性部材が上方から落下してきても、接続端子同士が短絡される不具合を防止できる。
【００１４】
前述の試験用コンセントアダプタにおいて、前記接続端子を、内側空部にプラグが挿入可能であって外周面に雄ねじが形成された第１端子部、及び、前記雄ねじに噛み合う雌ねじが内周面に形成された第２端子部を有するターミナル端子とした場合には、電源線の接続態様を適宜に選択できる。例えば、各導体に接続された圧着端子を第１端子部に位置付けて第２端子部を締め付けることにより、特別な工具を必要とせずに電源線と接続部との電気的な接続が行える。また、先端にプラグが取り付けられた電源線を用いた場合、プラグを第１端子部内に挿入することで電源線と接続部との電気的な接続が行える。
【００１５】
前述の試験用コンセントアダプタにおいて、前記プラグ部と前記接続部との間にスイッチを介在させた場合には、試験電源の供給または遮断をアダプタ側で制御できるので、使い勝手が向上する。
【００１６】
前述の試験用コンセントアダプタにおいて、前記プラグ部が、ケースから引き出されたコードと、前記コードの先端に設けられたプラグとを有する場合には、コードの長さ分だけ取り回しに自由度が増し、使い勝手が向上する。
【発明の効果】
【００１７】
本発明によれば、電力機器の性能試験における配線作業の負担を軽減するとともに短絡を防止できる。
【図面の簡単な説明】
【００１８】
【図１】試験システムの概略構成を説明するブロック図である。
【図２】試験システムの電気的構成を説明する図である。
【図３】第１実施形態のコンセントアダプタについて、内部を透視して示した図であり、（ａ）は平面図、（ｂ）は側面図、（ｃ）は接続端子側から見た側面図である。
【図４】（ａ）は電源装置の正面図、（ｂ）はコンセントアダプタを取り付けた電源装置の部分拡大図である。
【図５】電源線の取り付け作業を説明する図であり、（ａ）は電源線の先端に装着した圧着端子を、接続端子の雄ねじ部に位置付けた状態を説明する図、（ｂ）は接続端子の雌ねじ部を締め込んで、圧着端子を固定した状態を説明する図である。
【図６】電源線の取り付け作業を説明する図であり、（ａ）は先端部のバナナプラグを接続端子の雄ねじ部に向けて移動させる様子を説明する図、（ｂ）はバナナプラグを接続端子の雄ねじ部に嵌め込んだ状態を説明する図である。
【図７】導電性を有する針金が落下した状態を説明する図であり、（ａ）はコンセントアダプタを上から見た図、（ｂ）は接続部側から見た図である。
【図８】第２実施形態のコンセントアダプタについて、内部を透視して示した図であり、（ａ）は平面図、（ｂ）は側面図、（ｃ）は接続端子側から見た側面図である。
【図９】第３実施形態のコンセントアダプタについて、内部を透視して示した図であり、（ａ）は平面図、（ｂ）は側面図、（ｃ）は接続端子側から見た側面図である。
【図１０】（ａ）〜（ｃ）は、第３実施形態のコンセントアダプタに用いられる延長ケーブルを説明する図である。
【発明を実施するための形態】
【００１９】
以下、本発明の第１実施形態について説明する。
【００２０】
まず、図１及び図２を参照して試験システム１の概略構成について説明する。例示した試験システム１は、試験回路２と、電源装置３と、コンセントアダプタ４とを有する。
【００２１】
試験回路２は、測定対象機器５の性能試験を行うための電気回路である。ここで、測定対象機器５とは、発電所や変電所に設置されている大型（据え置き型）の電力機器である。例えば、変圧器、遮断器、断路器といった電力機器が該当する。そして、図２に例示した接地変圧器（ＧＰＴ）５Ａに対しては、試験回路２によって内部インピーダンスの測定が行われる。
【００２２】
接地変圧器５Ａに用いられる試験回路２Ａは、電圧計１１、電流計１２、及び、位相計１３を有している。電圧計１１は、接地変圧器５Ａが備える第一相入力端子Ｕと第四相入力端子Ｏとの間の電圧を測定する。電流計１２は、第一相入力端子Ｕを流れる電流を測定する。位相計１３は、電圧を基準にするとともに電流を入力とし、電圧位相を基準とする電流の位相角を測定する。そして、この試験回路２Ａで得られた電圧、電流、電流位相に基づいて接地変圧器５Ａの内部インピーダンスが算出される。
【００２３】
電源装置３は、試験回路２Ａに供給される試験電源を商用電源６から生成し、コンセント３ｂから出力する装置である。試験電源は、電圧、電流、周波数などが高い精度で管理された電源を意味する。この電源装置３としては、例えば株式会社計測技術研究所製の交流電源（６９００シリーズ）を用いることができる。この電源装置３は定電流源として機能し、電流が一定に調整された交流の試験電源を生成する。この試験電源は単相２線式であり、電源線における一方の極が電圧線であり、他方の極が接地線になっている。そして、この試験電源は、試験回路２を通じて接地変圧器５Ａの一次側に供給される。
【００２４】
図２の例において電源装置３は、プラグ１４と、電源回路１５と、コンセント３ｂとを備えている。プラグ１４は、建物の壁等に設けられたコンセント６ａ（商用電源６を供給するためのコンセント）に装着される部分であり、このプラグ１４を介して商用電源６の供給を受ける。電源回路１５は、供給された商用電源６から試験電源を生成する部分である。なお、電源回路１５は、設定部（図示せず）に対する設定操作で定められた電圧、電流、周波数とされた試験電源を生成する。コンセント３ｂは、電源回路１５で生成された試験電源を出力する部分であり、試験電源用コンセントに相当する。このコンセント３ｂもまた単相２線式であり、一方の極から電源電圧が出力され、他方の極が接地されている。そして、このコンセント３ｂには、コンセントアダプタ４のプラグ部２１が装着される（後述する）。
【００２５】
コンセントアダプタ４は、試験回路２Ａと電源装置３との間に介在し、電源装置３からの試験電源を、電源線１７を介して試験回路２Ａへ供給するものである。図２に概略を示すように、コンセントアダプタ４は、プラグ部２１と接続部２２とスイッチ２３とを備えている。プラグ部２１は、電源装置３が備えるコンセント３ｂに装着される部分である。接続部２２は、試験回路２Ａへ給電するための電源線１７が接続される部分である。スイッチ２３は、プラグ部２１と接続部２２との間に介在し、プラグ部２１からの試験電源を接続部２２へ供給したり遮断したりする。
【００２６】
以下、コンセントアダプタ４について詳細に説明する。
【００２７】
図３（ａ）〜（ｃ）は、コンセントアダプタ４の構造を説明する図である。なお、理解を容易にするため、これらの図においてコンセントアダプタ４の内部は透視した状態で記載している。
【００２８】
これらの図に示すように、コンセントアダプタ４は箱状のケース２４を有しており、前述したプラグ部２１、接続部２２、及び、スイッチ２３がこのケース２４に取り付けられている。例示したケース２４は平面視で略正方形状の薄型な箱状であり、電気絶縁性を有する合成樹脂によって作製されている。便宜上、以下の説明では、スイッチ２３が設けられている正方形状の板状部分を天板２４ａといい、天板２４ａとは反対側に位置する正方形状の板状部分を底板２４ｂという。また、天板２４ａの各辺と底板２４ｂの各辺との間にある長方形状の板状部分を側板２４ｃという。
【００２９】
４つある側板２４ｃのうち、１つの側板２４ｃからは一対のブレード２５が突設されている。これらのブレード２５は、電源装置３に設けられたコンセント３ｂの刃受に挿入される長細い金属板であり、電極として機能する。そして、一方のブレード２５が試験電源における一方の極に、他方のブレード２５が試験電源における他方の極に対応する。これらのブレード２５は、長手方向の片半部分が側板２４ｃから突出する状態に設けられ、残りの部分がケース２４内に収容されている。また、長手方向の中間部分が側板２４ｃの裏面に配置された電気絶縁性のブッシング２６によって支持されており、ケース２４内に収容された部分がスイッチ２３に接続されている。
【００３０】
そして、本実施形態におけるプラグ部２１は、一対のブレード２５と、これらのブレード２５が設けられる側板２４ｃと、これらのブレード２５を支持するブッシング２６とによって構成されている。
【００３１】
ブレード２５とは反対側に位置する側板２４ｃからは、一対の接続端子２７が横並びの状態で側方に向けて突設されている。これらの接続端子２７は、電源線１７が備える極性毎の導体と個別に接続される部分である。本実施形態の接続端子２７にはバナナジャックが用いられている。このバナナジャックは、ターミナル端子の一種であり、内側空部にプラグ（例えば後述するバナナプラグ１７ｂ）が挿入可能であって外周面に雄ねじが形成された金属製の筒状端子部２７ａ（第１端子部）と筒状端子部２７ａの雄ねじに噛み合う雌ねじが内周面に形成された円筒状の可動ねじ部２７ｂ（第２端子部）とを備えている。筒状端子部２７ａは、側板２４ｃの表面と裏面とに配置された一対の金属製ナット２７ｃによって側板２４ｃに取り付けられている。また、筒状端子部２７ａのそれぞれは、ケース２４の内部において、導体板２７ｄを介してスイッチ２３と電気的に接続されている。一方、可動ねじ部２７ｂは、筒状端子部２７ａと噛み合う軸心部分が金属製とされ、この軸心部の周囲には合成樹脂製の筒状把持部が設けられている。
【００３２】
隣り合う接続端子２７同士の間には、電気絶縁性の仕切り部２８が設けられている。この仕切り部２８は、接続端子２７同士の並び方向とは交差する縦方向に延びた矩形板状であって、天板２４ａから底板２４ｂに亘って一連に設けられている。また、この仕切り部２８は、ケース２４と同じく合成樹脂によって作製されている。
【００３３】
この仕切り部２８は、後述するように接続端子２７同士の短絡を防止するために設けられている。このため、仕切り部２８は、接続端子２７同士の並び方向から見た際に、接続端子２７の根元部分（具体的には可動ねじ部２７ｂよりも側板２４ｃ側で露出している金属部分）が隠れる程度の大きさに設けられている。そして、仕切り部２８におけるスイッチ２３側の端部（使用時の上端縁）は、接続端子２７よりも天板２４ａ側（使用時の上側）に位置している。
【００３４】
本実施形態における接続部２２は、一対の接続端子２７と、これらの接続端子２７が設けられる側板２４ｃと、側板２４ｃから立設された仕切り部２８とによって構成されている。
【００３５】
この接続端子２７では、電源線１７の圧着端子１７ａを筒状端子部２７ａに位置付けた状態で可動ねじ部２７ｂを締め込むことで、側板２４ｃの表面側に位置するナットと可動ねじ部２７ｂとで圧着端子１７ａを固定でき、電源線１７が有する各導体との接続が行える。また、電源線１７の先端に取り付けられたバナナプラグ１７ｂを筒状端子部２７ａの内側空部に挿入することによっても、電源線１７が有する各導体との接続が行える。
【００３６】
スイッチ２３は、前述したように、一対のブレード２５及び一対の筒状端子部２７ａのそれぞれと電気的に接続されている。すなわち、これらのブレード２５と筒状端子部２７ａの間に介在している。そして、スイッチ２３は、一方のブレード２５と一方の筒状端子部２７ａ、及び、他方のブレード２５と他方の筒状端子部２７ａを電気的に接続したり、遮断したりする。このため、プラグ部２１が電源装置３のコンセント３ｂ（図４を参照）に装着された状態で、スイッチ２３がオン操作されるとブレード２５を通じて筒状端子部２７ａに試験電源が供給される。一方、スイッチ２３がオフ操作されると、試験電源は筒状端子部２７ａに供給されない。
【００３７】
次に、上記のように構成されたコンセントアダプタ４の使用方法について説明する。
【００３８】
図４（ａ）に例示した電源装置３では、前面左端部に電源スイッチ３ａが設けられ、前面右端部に試験電源を出力するコンセント３ｂが設けられている。そして、電源スイッチ３ａとコンセント３ｂとの間に、表示装置３ｃ及び操作ボタン３ｄが設けられている。そして、図４（ｂ）に示すように、コンセントアダプタ４は、プラグ部２１の各ブレード２５をコンセント３ｂに差し込むことで電源装置３に取り付けられ、この取り付け状態で使用される。
【００３９】
例えば、電源線１７の先端部分をコンセントアダプタ４（各接続端子２７）に接続する場合、図５（ａ）に示すように、電源線１７の先端部分に圧着端子１７ａを装着し、電源線１７が有する各極の導体と圧着端子１７ａとを接続する。その後、この圧着端子１７ａを、対応する筒状端子部２７ａに位置付け、図５（ｂ）に示すように、可動ねじ部２７ｂを締め込むことで圧着端子１７ａを固定する。このように、コンセントアダプタ４が備える接続端子２７は、外周面に雄ねじが形成された筒状端子部２７ａと、筒状端子部２７ａの雄ねじに噛み合う雌ねじが内周面に形成された可動ねじ部２７ｂとを有しているので、可動ねじ部２７ｂを緩めたり締め込んだりすることで電源線１７の圧着端子１７ａを容易に固定できる。すなわち、電源線１７の配線作業について作業負担を軽減できる。
【００４０】
なお、スイッチ２３に関し、コンセントアダプタ４を電源装置３に取り付ける際にはオフにしておく。そして、図５（ｂ）に符号Ａの矢印で示すように、各圧着端子１７ａを固定した後にオンにする。このような操作を行うことで、接続端子２７への電源線１７の接続時において、短絡や地絡等の不具合を防止できる。
【００４１】
また、図６（ａ）に示すバナナプラグ１７ｂを用いて接続を行う場合には、まず電源線１７の先端部分にバナナプラグ１７ｂを取り付ける。バナナプラグ１７ｂへの電源線１７の取り付けは、バナナプラグ１７ｂの種類によって様々であるが、例えば次の手順で行える。まず、電源線１７の先端部分を二股に割いた後、被覆を除去して各極の導体を露出させる。次に、バナナプラグ１７ｂを円筒状のカバー部と金属製の本体部とに分離し、カバー部を二股に割いた一方に挿入する。そして、導体を本体部に接触させた状態で、カバー部を本体部に固定する。二股の他方についても同様の手順で取り付ける。
【００４２】
バナナプラグ１７ｂを取り付けたならば、図６（ａ）に符号Ｂの矢印で示すように、バナナプラグ１７ｂを筒状端子部２７ａの内側空部に向けて移動させ、この内側空部に挿入する。バナナプラグ１７ｂの挿入によって電源線１７と接続端子２７とが電気的に接続される。ここで、電源線１７へのバナナプラグ１７ｂの取り付けは、前述した通り容易な作業である。そして、電源線１７を接続端子２７に接続する作業も、バナナプラグ１７ｂを筒状端子部２７ａに挿入するだけの容易な作業である。このため、電源線１７の配線作業について作業負担を軽減できる。
【００４３】
加えて、一対の接続端子２７同士の間には、接続端子２７の並び方向と交差する方向（具体的には直交方向）に沿って、電気絶縁性を有する板状の仕切り部２８が設けられている。この仕切り部２８が設けられていることで、針金やドライバのような金属部材が落下した場合であっても、接続端子２７同士の短絡を防ぐことができる。例えば、図７（ａ），（ｂ）に示すように、針金Ｘが落下したとしても、この針金Ｘは一方の接続端子２７と仕切り部２８とに当接するが他方の接続端子２７には当接しないので、接続端子２７同士の短絡を防ぐことができる。
【００４４】
次に、コンセントアダプタの第２実施形態について説明する。
【００４５】
図８（ａ）〜（ｃ）は、第２実施形態のコンセントアダプタ４Ａを説明する図であり、先に説明した図３に相当する図である。この図に示すように、第２実施形態のコンセントアダプタ４Ａの基本的な構成は、第１実施形態のコンセントアダプタ４と同じである。このため、第１実施形態のコンセントアダプタ４と同じ構成を採る部分には同じ符号を付して説明を省略する。そして、第１実施形態との相違点を中心に、第２実施形態のコンセントアダプタ４Ａを説明する。
【００４６】
第２実施形態のコンセントアダプタ４Ａと第１実施形態のコンセントアダプタ４との違いは、大きく次の３点である。（１）プラグ部３１に関し、プラグ３２とコード３３とを含んでいる。（２）仕切り部２８Ａに関し、倒Ｅ字形状に構成されている。（３）ケース２４Ａの厚みが大きく定められ、接続端子２７が天板２４ａに近い側に設けられている。（４）ケース２４Ａの底面四隅に脚部３４が設けられている。
【００４７】
まず、プラグ部３１について説明する。本実施形態におけるプラグ部３１は、プラグ３２とコード３３と側板２４ｃと、ブッシング２６Ａとを有している。プラグ３２は、電源装置３のコンセント３ｂ（試験電源用コンセント）に差し込まれる部分であり、本体部３５とブレード３６とを有している。ブレード３６は第１実施形態のブレード２５と同様に、コンセント３ｂの受刃に差し込まれる部分である。本体部３５は、ブレード３６とコード３３の端部同士が収容される部分であり、本体部３５の内部でブレード３６とコード３３とが電気的に接続される。コード３３は、プラグ３２とケース２４Ａとの間に設けられる部分であり、試験電源を供給する。プラグ３２とは反対側のコード３３の他端部分は、ケース２４Ａに収容されてスイッチ２３に接続されている。このため、スイッチ２３のオンオフによって試験電源を接続端子２７へ供給したり、遮断したりすることができる。ブッシング２６Ａは、側板２４ｃの裏面に配置されてコード３３を支持する部材である。
【００４８】
次に、仕切り部２８Ａについて説明する。本実施形態の仕切り部２８Ａは、上部開放のコ字状部材を２つ横並びに連結した倒Ｅ字形状に構成されている。この仕切り部２８Ａによって各接続端子２７の左右と下とが区画されている。この仕切り部２８Ａも、接続端子２７が設けられた側板２４ｃの表面から側方に突設されている。そして、側方への突出長さは第１実施形態と同様に、接続端子２７の根元部分が隠れる程度に定められている。
【００４９】
次に、ケース２４Ａと脚部３４について説明する。ケース２４Ａの厚みは、第１実施形態のケース２４Ａのほぼ２倍に定められている。そして、接続端子２７は側板２４ｃにおける天板寄りの位置に取り付けられている。また、底板２４ｂにおける四隅には脚部３４が設けられている。これらの脚部３４は、コンセントアダプタ４Ａが床面に置かれることを想定して設けられており、電気絶縁性を有する円柱状部材によって構成されている。また、脚部３４の先端には円盤状の磁石３４ａが設けられている。この磁石３４ａによって鉄板製の壁面に対する固定が容易に行える。
【００５０】
このように構成されたコンセントアダプタ４Ａでは、プラグ部３１がプラグ３２とコード３３とを備えているので、コード３３の長さ分だけコンセントアダプタ４Ａの設置場所について自由度が高くなる。これにより、使い勝手の向上が図れる。また、各接続端子２７の左右と下の３方が電気絶縁性の仕切り部２８Ａに囲まれており、接続端子２７が天板側に寄せられており、かつ、底板２４ｂには脚部３４が設けられているので、ケース２４Ａ等を床面に置いた場合において、床面と各接続端子２７との間に十分なクリアランスが確保でき、接続端子２７が地絡してしまう不具合を抑制できる。
【００５１】
次に、コンセントアダプタの第３実施形態について説明する。
【００５２】
図９（ａ）〜（ｃ）は、第３実施形態のコンセントアダプタ４Ｂを説明する図であり、先に説明した図３や図８に相当する図である。この図に示すように、第３実施形態のコンセントアダプタ４Ｂの基本的な構成は、第２実施形態のコンセントアダプタ４Ａと同じである。そこで、第２実施形態との相違点を中心に、第３実施形態のコンセントアダプタ４Ｂを説明することとする。なお、図９において、第２実施形態のコンセントアダプタ４Ａに対応する部分については、符号の末尾にＢを付して示し、説明を省略する。
【００５３】
第３実施形態のコンセントアダプタ４Ｂと第２実施形態のコンセントアダプタ４Ａとの違いは、第３実施形態のコンセントアダプタ４Ｂが三相３線式に対応している点であり、電源回路３が２００Ｖ仕様の場合に用いられる。このため、プラグ部３１Ｂのプラグ３２Ｂ及びコード３３Ｂと、スイッチ２３Ｂと、各接続端子２７Ｂは、３つの極のそれぞれ（すなわち各相）に対応させたものが用いられている。この第３実施形態のコンセントアダプタ４Ｂでも第２実施形態のコンセントアダプタ４Ｂと同様の作用効果を奏する。
【００５４】
なお、第３実施形態のコンセントアダプタ４Ｂに関し、図１０（ａ）〜（ｃ）に示す延長ケーブル４１〜６１を用いることにより、使い勝手を一層向上させることができる。
【００５５】
図１０（ａ）に示す延長ケーブル４１は、３穴用のブレード４２が設けられたプラグ部４３と、このブレード４２用のコンセント部４４と、これらのプラグ部４３とコンセント部４４とを接続するコード４５とを備えている。また、図１０（ｂ）に示す延長ケーブル５１は、４穴用のブレード５２が設けられたプラグ部５３と、３穴のコンセント部５４と、これらのプラグ部５３とコンセント部５４とを接続するコード５５とを備えている。同様に、図１０（ｃ）に示す延長ケーブル６１もまた、４穴用のブレード６２が設けられたプラグ部６３と、３穴のコンセント部６４と、これらのプラグ部６３とコンセント部６４とを接続するコード６５とを備えている。なお、延長ケーブル５１，６１は変換ケーブルとしても機能する。
【００５６】
そして、図１０（ａ）に示す延長ケーブル４１を用いてプラグ部３１Ｂのコード３３Ｂ（図９を参照）を延長することで、コンセントアダプタ４Ｂの設置場所に自由度が増す。また、図１０（ｂ），（ｃ）に示す延長ケーブル５１，６１を介在させることで、コンセントアダプタ４Ｂの設置場所に自由度が増すと共に、電源装置３のコンセント３ｂがコンセントアダプタ４Ｂのプラグ３２Ｂに適合しない形状であっても、コンセントアダプタ４Ｂを使用することができる。
【００５７】
ところで、以上の各実施形態に関する説明は、本発明の理解を容易にするためのものであり、本発明を限定するものではない。本発明は、その趣旨、目的を逸脱することなく、変更、改良され得るとともに、本発明にはその等価物が含まれることは勿論である。例えば、次のように構成してもよい。
【００５８】
仕切り部２８，２８Ａ，２８Ｂに関し、隣り合う接続端子２７，２７Ｂ同士の間を仕切ることができれば、板状に限られない。例えば、一方の接続端子２７，２７Ｂの左右と下方を区画するＵ字樋状であってもよいし、円筒を軸方向に二分割した半円筒状であってもよい。
【００５９】
接続端子２７，２７Ｂに関し、バナナジャックを例示したが、電源線１７の導体と容易に接続できる端子であれば、接続端子２７，２７Ｂとして好適に用いることができる。例えば陸軍端子やジョンソン端子を用いてもよい。
【００６０】
スイッチ２３に関し、ＬＥＤ等の発光部を内蔵し、この発光部をオン状態（通電状態）で点灯させるように構成してもよい。このように構成すると、オン状態において接続作業をしてしまう不具合を確実に防止でき、使い勝手のさらなる向上が図れる。
【００６１】
試験電源に関し、前述の実施形態では電源装置３から出力される場合について説明した。このため、コンセントアダプタ４Ｂは、電源装置３のコンセント３ｂに接続されていた。ここで、試験電源として商用電源６を用いることができれば、コンセントアダプタ４Ｂを、建物の壁部等に設けられている商用電源６を出力するコンセント６ａに取り付けてもよい。この場合、このコンセント６ａが試験電源用コンセントに相当する。
【００６２】
なお、本発明に係る試験用コンセントアダプタは、変圧器や遮断器や断路器の他の試験回路に対しても当然適用できる。
【符号の説明】
【００６３】
１…試験システム，２…試験回路，２Ａ…接地変圧器用の試験回路，３…電源装置，３ａ…電源スイッチ，３ｂ…コンセント，３ｃ…表示装置，３ｄ…操作ボタン，４…第１実施形態のコンセントアダプタ，４Ａ…第２実施形態のコンセントアダプタ，４Ｂ…第３実施形態のコンセントアダプタ，５…測定対象機器，５Ａ…接地変圧器，６…商用電源，６ａ…商用電源用のコンセント，１１…電圧計，１２…電流計，１３…位相計，１４…プラグ，１５…電源回路，１７…電源線，１７ａ…圧着端子，１７ｂ…バナナプラグ，２１…プラグ部，２２…接続部，２３…スイッチ，２４…ケース，２４Ａ…ケース，２４Ｂ…ケース，２４ａ…天板，２４ｂ…底板，２４ｃ…側板，２５…ブレード，２６…ブッシング，２６Ａ…ブッシング，２６Ｂ…ブッシング，２７…接続端子，２７Ｂ…接続端子，２７ａ…筒状端子部，２７ｂ…可動ねじ部，２７ｃ…金属製ナット，２７ｄ…導体板，２８…仕切り部，２８Ａ…仕切り部，２８Ｂ…仕切り部，３１…プラグ部，３２…プラグ，３３…コード，３４…脚部，３４ａ…磁石，３５…本体部，３６…ブレード，４１…延長ケーブル，４２…ブレード，４３…プラグ部，４４…コンセント部，４５…コード，５１…延長ケーブル，５２…ブレード，５３…プラグ部，５４…コンセント部，５５…コード，６１…延長ケーブル，６２…ブレード，６３…プラグ部，６４…コンセント部，６５…コード，Ｕ…第一相入力端子，Ｖ…第二相入力端子，Ｗ…第三相入力端子，Ｏ…第四相入力端子
【図１】
0005823741.tif 000002
【図２】
0005823741.tif 000003
【図３】
0005823741.tif 000004
【図４】
0005823741.tif 000005
【図５】
0005823741.tif 000006
【図６】
0005823741.tif 000007
【図７】
0005823741.tif 000008
【図８】
0005823741.tif 000009
【図９】
0005823741.tif 000010
【図１０】
0005823741.tif 000011